(57)【要約】【課題】芯綱の剛性を高め、寿命が低下することを防止できるエレベータ用巻上ロープを提供する。【解決手段】エレベータのかご１は、巻上ロープ２によって昇降路３内に吊り下げられる。巻上ロープ２は、芯綱７と子縄８とを備える。子縄８は、芯綱７の周囲に配置される。子縄８は、例えば、多数の鋼製の素線が撚り合わされることによって形成される。芯綱７は、中実芯９と繊維芯１０とを備える。中実芯９は、樹脂製の部材からなる。繊維芯１０は油を含み、中実芯９の周囲に配置される。【選択図】図２
2016020269.tif 000002
【特許請求の範囲】
【請求項１】
芯綱と、
前記芯綱の周囲に配置された子縄と、
を備え、
前記芯綱は、
樹脂製の中実芯と、
油を含み、前記中実芯の周囲に配置された繊維芯と、
を備えたエレベータ用巻上ロープ。
【請求項２】
前記中実芯は、１本の棒状部材からなる請求項１に記載のエレベータ用巻上ロープ。
【請求項３】
前記中実芯は、複数本の棒状部材を束ねたものが圧縮されて形成された請求項１に記載のエレベータ用巻上ロープ。
【請求項４】
前記繊維芯は、不織布が前記中実芯の周囲に巻かれることによって形成された請求項１から請求項３の何れか一項に記載のエレベータ用巻上ロープ。
【請求項５】
前記繊維芯は、複数の芯子縄が前記中実芯の周囲に撚られることによって形成され、
前記芯子縄は、樹脂性のスプリットヤーンが撚られることによって形成された
請求項１から請求項３の何れか一項に記載のエレベータ用巻上ロープ。
【請求項６】
前記中実芯は、断面が円形を呈し、
前記繊維芯は、前記中実芯の半径より薄い厚みで前記中実芯の周囲に配置された
請求項１から請求項５の何れか一項に記載のエレベータ用巻上ロープ。
【発明の詳細な説明】
【技術分野】
【０００１】
この発明は、エレベータで使用される巻上ロープに関する。
【背景技術】
【０００２】
エレベータのかごは、巻上ロープによって昇降路内に吊り下げられる。特許文献１に、エレベータで使用可能な巻上ロープが開示されている。
【０００３】
図８は、従来のエレベータ用巻上ロープを示す断面図である。巻上ロープは、例えば、芯綱１３と鋼製の子縄１４とを備える。芯綱１３の周囲に、複数の子縄１４が撚り合わされる。図８は、８本の子縄１４が芯綱１３の周囲に巻き付けられた例を示している。
【０００４】
図９は、従来の芯綱１３を示す断面図である。図９は、周囲に子縄１４が巻き付けられる前の芯綱１３の状態を示している。芯綱１３は、複数の芯子縄が撚り合わされることによって形成される。屋外等に設置されたエレベータでは、芯子縄の材料として合成繊維が用いられることがある。
【先行技術文献】
【特許文献】
【０００５】
【特許文献１】特開２０１３−１７０３２２号公報
【発明の概要】
【発明が解決しようとする課題】
【０００６】
芯綱は、子縄によって締め付けられることにより高密度になる。これにより、巻上ロープの形状を安定化させることができる。しかし、芯綱には潤滑油を含ませる必要があり、子縄によって芯綱を過度に締め付けることはできない。巻上ロープの径が大きくなると、特に長手方向の剛性が低下し、巻上ロープの寿命が短くなるといった問題があった。
【０００７】
例えば、エレベータのかごに乗客が乗り込んで巻上ロープに大きな負荷が作用すると、芯綱が子縄によって締め付けられ、巻上ロープの径が細くなる。即ち、巻上ロープが伸びる。巻上ロープに作用していた負荷がなくなると、子縄が芯綱を締め付ける力が弱まり、巻上ロープの径が太くなる。即ち、巻上ロープが縮む。巻上ロープの径が変化する際に子縄同士（図８に示すＡ点）が擦れて摩耗する。摩耗が進行すると、子縄を構成する鋼製の素線が切れてしまう恐れがあった。
【０００８】
この発明は、上述のような課題を解決するためになされた。この発明の目的は、芯綱の剛性を高め、寿命が低下することを防止できるエレベータ用巻上ロープを提供することである。
【課題を解決するための手段】
【０００９】
この発明に係るエレベータ用巻上ロープは、芯綱と、芯綱の周囲に配置された子縄と、を備え、芯綱は、樹脂製の中実芯と、油を含み、中実芯の周囲に配置された繊維芯と、を備える。
【発明の効果】
【００１０】
この発明に係るエレベータ用巻上ロープであれば、芯綱の剛性を高めることができ、寿命が低下することを防止できる。
【図面の簡単な説明】
【００１１】
【図１】エレベータの全体構成を示す図である。
【図２】この発明の実施の形態１における巻上ロープの断面を示す図である。
【図３】図２に示す芯綱の断面図である。
【図４】芯綱の製造方法を説明するための図である。
【図５】この発明の実施の形態２における巻上ロープの断面を示す図である。
【図６】図５に示す芯綱の断面図である
【図７】異形加工される前の中実芯の断面を示す図である。
【図８】従来のエレベータ用巻上ロープを示す断面図である。
【図９】従来の芯綱を示す断面図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、エレベータの全体構成を示す図である。
エレベータのかご１は、巻上ロープ２によって昇降路３内に吊り下げられる。つり合いおもり４は、巻上ロープ２によって昇降路３内に吊り下げられる。図１は、１：１ローピング方式のエレベータを一例として示している。図１に示すエレベータでは、巻上ロープ２の一端は、かご１に接続される。巻上ロープ２の他端は、つり合いおもり４に接続される。
【００１４】
巻上ロープ２は、巻上機の駆動綱車５及びそらせ車６に巻き掛けられる。駆動綱車５が回転すると、巻上ロープ２は、駆動綱車５の回転方向に合わせた方向に移動する。これにより、かご１が昇降路３内を上昇或いは下降する。
【００１５】
図２は、この発明の実施の形態１における巻上ロープ２の断面を示す図である。巻上ロープ２は、芯綱７と複数の子縄８とを備える。芯綱７は、巻上ロープ２の中心部に巻上ロープ２の長手に沿って配置される。芯綱７は、巻上ロープ２の表面に露出しない。
【００１６】
子縄８は、芯綱７の表面を覆うように芯綱７の周囲に配置される。例えば、子縄８は、多数の鋼製の素線が撚り合わされることによって形成される。子縄８が芯綱７の周囲に巻き付けられることにより、芯綱７は子縄８によってその表面が押し潰され、図２に示すように変形する。以下に、芯綱７の構成について具体的に説明する。
【００１７】
芯綱７は、中実芯９と繊維芯１０とを備える。図３は、図２に示す芯綱７の断面図である。図３は、周囲に子縄８が巻き付けられる前の芯綱７の状態を示している。子縄８が芯綱７の周囲に巻き付けられることにより、繊維芯１０が変形する。子縄８が芯綱７の周囲に巻き付けられても中実芯９は殆ど変形しない。
【００１８】
中実芯９は、樹脂製の真直ぐな１本の棒状部材からなる。中実芯９は、中身が詰まった１つの樹脂の塊である。ナイロンは硬度が高く、中実芯９を構成する樹脂として好適である。ポリエチレン（ＰＥ）及びポリエステル（ＰＥＴ）等も中実芯９を構成する樹脂として利用することができる。中実芯９は、例えば、断面が円形を呈する。中実芯９に潤滑油は殆ど含まれない。
【００１９】
繊維芯１０は、中実芯９の表面を覆うように中実芯９の周囲に配置される。上述したように、中実芯９は樹脂の塊であり、潤滑油を殆ど含まない。芯綱７において、潤滑油は繊維芯１０に含まれる。繊維芯１０は、例えば、不織布が中実芯９の周囲に巻かれることによって形成される。ポリエチレン（ＰＥ）は摩擦係数が小さく、繊維芯１０を構成する不織布として好適である。ポリエステル（ＰＥＴ）等も繊維芯１０を構成する不織布として利用することができる。不織布は、例えば、極細の樹脂繊維が加熱圧縮されることによって形成される。
【００２０】
図４は、芯綱７の製造方法を説明するための図である。図４は、複数のテープ状の不織布を中実芯９の周囲に何層にも巻き付けて繊維芯１０を形成する場合を示している。ある程度の幅を有する１枚の不織布を重ね巻きして中実芯９の周囲に繊維芯１０を形成しても良い。
【００２１】
図３に示す状態では、繊維芯１０は、例えば、中実芯９の半径ｒとほぼ同じ厚みで中実芯９の周囲に配置される。上述したように、子縄８が芯綱７の周囲に巻き付けられることにより、繊維芯１０は中心方向に押し潰される。子縄８が芯綱７の周囲に巻き付けられた状態では、繊維芯１０は、例えば、中実芯９の半径ｒより薄い厚みで中実芯９の周囲に配置される。
【００２２】
上記構成を有する巻上ロープ２であれば、芯綱７の剛性を高め、巻上ロープ２の伸縮を低減させることができる。また、繊維芯１０に潤滑油を含むことができるため、巻上ロープ２の潤滑性及び防錆特性が損なわれることはない。このため、巻上ロープ２の寿命が低下することを防止できる。
【００２３】
実施の形態２．
図５は、この発明の実施の形態２における巻上ロープの断面を示す図である。本実施の形態における巻上ロープ２は、芯綱７の構成が実施の形態１で開示した構成と相違する。芯綱７以外の構成は、実施の形態１で開示した構成と同じである。
【００２４】
本実施の形態における芯綱７は、中実芯１１と繊維芯１２とを備える。図６は、図５に示す芯綱７の断面図である。図６は、周囲に子縄８が巻き付けられる前の芯綱７の状態を示している。子縄８が芯綱７の周囲に巻き付けられることにより、繊維芯１２が変形する。子縄８が芯綱７の周囲に巻き付けられても中実芯１１は殆ど変形しない。
【００２５】
中実芯１１は、樹脂製の真直ぐな複数本の棒状部材からなる。中実芯１１は、複数本の棒状部材を束ねたものが中心方向に圧縮されて形成される。図７は、異形加工される前の中実芯１１の断面を示す図である。異形加工の方法はどのような方法であっても良い。例えば、ダイスを用いることにより、複数本の棒状部材を束ねたものを細い孔に通しても良い。また、複数本の棒状部材を束ねたものをローラによって押し潰しても良い。
【００２６】
ナイロンは硬度が高く、中実芯１１を構成する樹脂として好適である。ポリエチレン（ＰＥ）及びポリエステル（ＰＥＴ）等も中実芯１１を構成する樹脂として利用することができる。中実芯１１は、例えば、全体の断面が円形を呈する。中実芯１１に潤滑油は殆ど含まれない。
【００２７】
中実芯１１を複数本の棒状部材で構成することにより、芯綱７の柔軟性を高めることができる。また、異形加工したものを中実芯１１として採用することにより、中実芯１１の内部に隙間が形成されることを防止できる。中実芯１１の内部に隙間が形成されると、棒状部材同士が線接触して摩耗が早く進行する恐れがある。異形加工したものを中実芯１１として採用することにより、巻上ロープ２の寿命が低下することを防止できる。
【００２８】
繊維芯１２は、中実芯１１の表面を覆うように中実芯１１の周囲に配置される。上述したように、中実芯１１は樹脂の塊の集合体であり、潤滑油を殆ど含まない。芯綱７において、潤滑油は繊維芯１２に含まれる。繊維芯１２は、例えば、複数本の芯子縄が中実芯１１の周囲に撚り合わされることによって形成される。芯子縄は、例えば、樹脂製のスプリットヤーンが撚り合わされることによって形成される。スプリットヤーンは、例えば、スプリット加工されたシート材が撚り合わされることによって糸状に形成される。スプリット加工とは、素材に多数の切り込み（スリット）を入れる加工のことである。ポリエチレン（ＰＥ）は摩擦係数が小さく、芯子縄を構成するスプリットヤーンとして好適である。
【００２９】
図６に示す状態では、繊維芯１２の径は、例えば、中実芯１１の半径ｒとほぼ同じである。上述したように、子縄８が芯綱７の周囲に巻き付けられることにより、繊維芯１２は中心方向に押し潰される。子縄８が芯綱７の周囲に巻き付けられた状態では、繊維芯１２は、例えば、中実芯１１の半径ｒより薄い厚みで中実芯１１の周囲に配置される。
【００３０】
スプリットヤーンに撚りをかけた芯子縄によって繊維芯１２を構成することにより、繊維芯１２に十分な潤滑油を含むことができる。巻上ロープ２の潤滑性及び防錆特性が損なわれることを防止でき、巻上ロープ２の寿命が低下することを防止できる。
【００３１】
本実施の形態で説明した中実芯１１の周囲に、実施の形態１で開示した繊維芯１０を配置しても良い。また、実施の形態１で開示した中実芯９の周囲に、本実施の形態で説明した繊維芯１２を配置しても良い。このような構成を採用しても、上記と同様の効果を奏することができる。
【符号の説明】
【００３２】
１  かご
２  巻上ロープ
３  昇降路
４  つり合いおもり
５  駆動綱車
６  そらせ車
７、１３  芯綱
８、１４  子縄
９、１１  中実芯
１０、１２  繊維芯
【図１】
2016020269.tif 000003
【図２】
2016020269.tif 000004
【図３】
2016020269.tif 000005
【図４】
2016020269.tif 000006
【図５】
2016020269.tif 000007
【図６】
2016020269.tif 000008
【図７】
2016020269.tif 000009
【図８】
2016020269.tif 000010
【図９】
2016020269.tif 000011